(57)【要約】  本発明の目的は、編幅の任意の位置で正確な編糸の切換えを行うと共に編糸の接合部分を編地から切断除去することが可能な編糸接合部分の処理方法を提供することである。使用中の編糸を切換え用の複数の編糸から選択された編糸と糸継ぎして編糸を接合する糸継ぎ手段と、針床に沿って移動可能な少なくとも２つの糸把持部を有する糸把持手段および糸切断手段とを備えた横編機において、糸継ぎ手段により使用中の編糸Ａと切換え用の編糸Ｂとを糸継ぎし、編糸Ａと編糸Ｂの接合部分の前後において編糸Ａと編糸Ｂをそれぞれ糸把持手段で把持し、糸把持手段で把持した編糸Ａと編糸Ｂの接合部分を含まない側の編糸Ａと編糸Ｂのそれぞれを切断すると共に、編糸Ｂの切断時には編成に使用する編糸Ｂの端糸となる部分を糸把持手段で把持して、編成途中に編地から接合部分を含む切れ端を除去する。
2007058090.tif 000002
【特許請求の範囲】
【請求項１】
使用中の編糸を切換え用の複数の編糸から選択された編糸と糸継ぎして編糸を接合する糸継ぎ手段と、針床に沿って移動可能であり編糸を把持する少なくとも２つの糸把持部を有する糸把持手段と、針床に沿って移動可能であり糸把持手段により把持された糸を切断する糸切断手段とを備えた横編機における編糸接合部分の処理方法であって、前記糸継ぎ手段により使用中の編糸Ａと切換え用の編糸Ｂとを糸継ぎし、編糸Ａと編糸Ｂの接合部分の前後において編糸Ａと編糸Ｂをそれぞれ糸把持手段で把持し、糸把持手段で把持した編糸Ａと編糸Ｂの接合部分を含まない側の編糸Ａと編糸Ｂのそれぞれを切断すると共に、編糸Ｂの切断時には編成に使用する編糸Ｂの端糸となる部分を糸把持手段で把持して、編成途中に編地から前記接合部分を含む切れ端を除去することを特徴とする編糸接合部分の処理方法。
【請求項２】
請求項１に記載の編糸接合部分の処理方法は、以下のステップを含むことを特徴とする、
ａ）糸把持手段は第１と第２の糸把持部を有し、第１と第２の糸把持部の両方で、糸継ぎ後の編糸Ａを針床の針と接合部分の間で把持するステップ、
ｂ）針床の端部又は針床の外方に配設された編糸を保持する糸保持手段により、前記第１と第２の糸把持部と接合部分の間で編糸Ａを保持するステップ、
ｃ）糸切断手段により、前記第１と第２の糸把持部の間で糸継ぎ後の編糸Ａを切断するステップ、
ｄ）針床側の編糸Ａの端糸を把持する第１糸把持部において、把持を解除するステップ、
ｅ）給糸口側の編糸Ａの端糸を把持する第２糸把持部を解除するステップ、
ｆ）糸継ぎされた編糸Ａと編糸Ｂを挿通した前記給糸口を、針床に沿って移動して、接合部分を引き出すステップ、
ｇ）前記第１と第２の糸把持部の両方により、編糸Ｂを接合部分と給糸口の間で把持するステップ、
ｈ）糸切断手段により、前記第１と第２の糸把持部の間で編糸Ｂを切断するステップ、
ｉ）一端が第２糸把持部で把持され他端が糸保持手段で保持される、接合部分を含む切れ端を、前記第２糸把持部により針床の外方へ移動し、針床の外方で前記把持を解除するとともに、前記糸保持手段による保持も解除し、前記切れ端を除去するステップ。
【請求項３】
請求項１に記載の編糸接合部分の処理方法は、以下のステップを含むことを特徴とする、
ａ）糸把持手段は第１と第２の糸把持部を有し、第１と第２の糸把持部の両方で、糸継ぎ後の編糸Ａを針床の針と接合部分の間で把持するステップ、
ｂ）糸切断手段により、前記第１と第２の糸把持部の間で糸継ぎ後の編糸Ａを切断するステップ、
ｃ）針床側の編糸Ａの端糸を把持する第１糸把持部において、把持を解除するステップ、
ｄ）第２糸把持部と給糸口の少なくとも一方を針床に沿って移動して、接合部分を引き出すステップ、
ｅ）第１糸把持部により、編糸Ｂを接合部分と給糸口の間で把持するステップ、
ｆ）糸切断手段により、第１糸把持部と接合部分の間で編糸Ｂを切断するステップ、
ｇ）接合部分を含み、一端が第２糸把持部で把持される切れ端を、前記第２糸把持部で把持を解除して前記切れ端を除去するステップ。
【請求項４】
編糸Ａの端糸と編糸Ｂの端糸が編地の表に出ないように、端糸を把持した糸把持手段を編幅内へ移動してから把持を解除することで端糸挿入を行うことを特徴とする、請求項１〜３のいずれか１つに記載の編糸接合部分の処理方法。
【請求項５】
編糸Ａの編み終わりと、編糸Ｂの編み始めにおいて解れ止めを行うことを特徴とする、請求項１〜４のいずれか１つに記載の編糸接合部分の処理方法。
【請求項６】
編地から除去した前記切れ端を、針床端部又は針床の外方に設けた廃棄装置により廃棄することを特徴とする、請求項１〜５のいずれか１つに記載の編糸接合部分の処理方法。
【発明の詳細な説明】
【技術分野】
【０００１】
本発明は、編成に使用している編糸に交換糸を接合させて切換える糸継ぎ装置を備えた横編機で、糸継ぎされた編糸の接合部分を切断除去しながら多色柄などを編成するための編糸接合部分の処理方法に関する。
【背景技術】
【０００２】
従来から、インターシャ柄やボーダー柄を編成する時に、横編機に設けたノッターやスプライサなどの糸継ぎ装置によって、編成中の編糸に性質の異なる編糸を接合させて色などを切換える糸継ぎが行われている。糸継ぎされた編糸を用いれば、１つの給糸口で色などの性質の異なる編糸を給糸することが可能となる。糸継ぎされた編糸を正確に切換える編成方法に関しては、例えば特許文献１や特許文献２で開示されている。【０００３】
特許文献１では、糸加工手段を備えた横編機で正確な編成位置で編糸の性質を切換えることができ、切換え位置まで編成が行われた後、予め定める長さの編糸を編成動作によって引き出すことが開示されている。【０００４】
特許文献２では、糸継ぎを行う前又は後に編幅端部まで編成してから給糸口を停止し、糸継ぎされた編糸を接合部分を越えるまで引き出し、編成に使用していた編糸と引き出した編糸の接合部分を超える部分を拘束部材で拘束し、切換え用の編糸で編成を続けると共に編端と拘束部材の間で編糸を切断することが開示されている。
【特許文献１】特許第２８１６７８４号公報
【特許文献２】特公平３−２７６６０号公報
【発明の開示】
【発明が解決しようとする課題】
【０００５】
特許文献１で開示されている先行技術は、編幅の任意の位置で正確な編糸の切換えを行い切換え位置まで編成した後、編成動作によって予め定める長さの編糸を引き出す。従って、編糸の接合部分を編地から除去したい場合は後工程が必要となる。【０００６】
特許文献２で開示されている先行技術は、編幅端部において編糸の切換えを行うことができる。しかし編糸切断装置は針床の端部に設けられており、引き出した編糸及び接合部分は針床端部で切断除去するため、編地の１編成コース内で編糸を切換えない横縞模様については編成することができるが、１編成コース内で編糸を切換える例えばインターシャ柄の場合は、切断後の端糸は編地の表に現れ、端糸を後工程で処理する必要があり適さない。【０００７】
本発明の目的は、編幅の任意の位置で正確な編糸の切換えを行うと共に編糸の接合部分を編地から切断除去することが可能な編糸接合部分の処理方法を提供することである。
【課題を解決するための手段】
【０００８】
本発明は、使用中の編糸を切換え用の複数の編糸から選択された編糸と糸継ぎして編糸を接合する糸継ぎ手段と、針床に沿って移動可能であり編糸を把持する少なくとも２つの糸把持部を有する糸把持手段と、針床に沿って移動可能であり糸把持手段により把持された糸を切断する糸切断手段とを備えた横編機における編糸接合部分の処理方法であって、前記糸継ぎ手段により使用中の編糸Ａと切換え用の編糸Ｂとを糸継ぎし、編糸Ａと編糸Ｂの接合部分の前後において編糸Ａと編糸Ｂをそれぞれ糸把持手段で把持し、糸把持手段で把持した編糸Ａと編糸Ｂの接合部分を含まない側の編糸Ａと編糸Ｂのそれぞれを切断すると共に、編糸Ｂの切断時には編成に使用する編糸Ｂの端糸となる部分を糸把持手段で把持して、編成途中に編地から前記接合部分を含む切れ端を除去することを特徴とする編糸接合部分の処理方法である。【０００９】
また本発明の編糸接合部分の処理方法は、以下のステップを含むことを特徴とする、
ａ）糸把持手段は第１と第２の糸把持部を有し、第１と第２の糸把持部の両方で、糸継ぎ後の編糸Ａを針床の針と接合部分の間で把持するステップ、
ｂ）針床の端部又は針床の外方に配設された編糸を保持する糸保持手段により、前記第１と第２の糸把持部と接合部分の間で編糸Ａを保持するステップ、
ｃ）糸切断手段により、前記第１と第２の糸把持部の間で糸継ぎ後の編糸Ａを切断するステップ、
ｄ）針床側の編糸Ａの端糸を把持する第１糸把持部において、把持を解除するステップ、
ｅ）給糸口側の編糸Ａの端糸を把持する第２糸把持部を解除するステップ、
ｆ）糸継ぎされた編糸Ａと編糸Ｂを挿通した前記給糸口を、針床に沿って移動して、接合部分を引き出すステップ、
ｇ）前記第１と第２の糸把持部の両方により、編糸Ｂを接合部分と給糸口の間で把持するステップ、
ｈ）糸切断手段により、前記第１と第２の糸把持部の間で編糸Ｂを切断するステップ、
ｉ）一端が第２糸把持部で把持され他端が糸保持手段で保持される、接合部分を含む切れ端を、前記第２糸把持部により針床の外方へ移動し、針床の外方で前記把持を解除するとともに、前記糸保持手段による保持も解除し、前記切れ端を除去するステップ。【００１０】
また本発明の編糸接合部分の処理方法は、以下のステップを含むことを特徴とする、
ａ）糸把持手段は第１と第２の糸把持部を有し、第１と第２の糸把持部の両方で、糸継ぎ後の編糸Ａを針床の針と接合部分の間で把持するステップ、
ｂ）糸切断手段により、前記第１と第２の糸把持部の間で糸継ぎ後の編糸Ａを切断するステップ、
ｃ）針床側の編糸Ａの端糸を把持する第１糸把持部において、把持を解除するステップ、
ｄ）第２糸把持部と給糸口の少なくとも一方を針床に沿って移動して、接合部分を引き出すステップ、
ｅ）第１糸把持部により、編糸Ｂを接合部分と給糸口の間で把持するステップ、
ｆ）糸切断手段により、第１糸把持部と接合部分の間で編糸Ｂを切断するステップ、
ｇ）接合部分を含み、一端が第２糸把持部で把持される切れ端を、前記第２糸把持部で把持を解除して前記切れ端を除去するステップ。【００１１】
また本発明は、編糸Ａの端糸と編糸Ｂの端糸が編地の表に出ないように、端糸を把持した糸把持手段を編幅内へ移動してから把持を解除することで端糸挿入を行うことを特徴とする。【００１２】
また本発明は、編糸Ａの編み終わりと、編糸Ｂの編み始めにおいて解れ止めを行うことを特徴とする。【００１３】
また本発明は、編地から除去した前記切れ端を、針床端部又は針床の外方に設けた廃棄装置により廃棄することを特徴とする。
【発明の効果】
【００１４】
本発明によれば、糸継ぎ装置で糸継ぎされた使用中の編糸と切換え用の編糸を接合部分の両側において少なくとも２つの糸把持部を有する糸把持手段で把持して糸切断手段により切断するので、切断後に接合部分を含む切れ端を前記糸把持手段で把持しながら編成中に編地から除去することができる。また針床に沿って移動可能な糸把持手段及び糸切断手段を用いるので、編幅の任意の位置で正確な編糸の切換え及び接合部分の除去を行うことができる。また編成中に接合部分が除去されるので、接合部分を除去する場合の後工程が不要となり、着用時に接合部分による違和感の無い編地を得ることができる。【００１５】
また本発明によれば、糸継ぎした編糸を針床の針と接合部分の間で第１糸把持部と第２糸把持部で把持すると共に糸保持手段で保持してから前記２つの糸把持部の間で前記糸継ぎされた編糸を切断し、把持を解除し、続いて給糸口を移動して接合部分を引き出してから接合部分と給糸口の間で前記糸継ぎされた編糸を第１糸把持部と第２糸把持部で把持し、前記２つの糸把持部の間で前記糸継ぎされた編糸を切断するので、接合部分の位置を精度良く割り出してその両側を同時に糸把持手段で把持させなくても接合部分を切断除去することができる。また切断後の切れ端を糸把持手段で針床の外方へ移動してから除去するので、針床上に切れ端を残すことなく処理できる。【００１６】
また本発明によれば、糸継ぎした編糸を針床の針と接合部分の間で第１糸把持部と第２糸把持部で把持してから前記２つの糸把持部の間で前記糸継ぎされた編糸を切断し、第１糸把持部の把持を解除し、続いて給糸口と第２糸把持部の少なくとも一方を針床に沿って移動して接合部分を引き出してから接合部分と給糸口の間で前記糸継ぎされた編糸を第１糸把持部で把持し、前記２つの糸把持部の間で前記糸継ぎされた編糸を切断するので、編糸を保持する糸保持手段を用いることなく接合部分の両側で前記糸継ぎされた編糸を切断することができる。【００１７】
また本発明によれば、切断後の端糸が編地の表に現れないように端糸を把持した糸把持手段を編幅内へ移動してから把持を解除して端糸挿入するので、編成後に端糸を処理する後工程が不要となり、生産効率の向上を図ることができる。【００１８】
また本発明によれば、編成中の編糸の編み終わりと切換え用の編糸の編み始めにおいて解れ止めを行うので、接合部分を切断除去した後の糸解れを防止できる。【００１９】
また本発明によれば、切断除去した接合部分を含む切れ端を針床端部又は針床の外方に設けた廃棄装置により廃棄するので、切れ端の処理を容易に行なうことができる。
【図面の簡単な説明】
【００２０】
【図１】実施例に係る横編機の概略的な構成を示す正面図。
【図２】実施例１に係る編糸接合部分の処理を示すステップ。
【図３】実施例２に係る編糸接合部分の処理を示すステップ。
【符号の説明】
【００２１】
１…横編機、２…筒状編地、３…糸コーン、４，５…編糸、６…接合部分、７…スプライサ、８…給糸口、９…第１糸把持部、１０…第２糸把持部、１１…糸保持部、１２…廃棄装置、１３…フレーム、１４…針床、１５…キャリッジ
【発明を実施するための最良の形態】
【００２２】
本発明の好適な実施の形態として、編幅の任意の位置で正確な編糸の切換えを行うと共に編糸の接合部分を切断除去することが可能な編糸接合部分の処理方法を以下図面と共に説明する。【００２３】
図１は本件実施例１，２に係る横編機１の概略的な構成を示す正面図である。横編機１は糸コーン３から供給される複数の編糸のうち編成に使用する編糸４以外の編糸をスプライサ７で保持し、編糸４を給糸口８へ挿通している。そして針床１４の針を用いて、筒状編地２を編糸４と複数の編糸から選択される編糸５をスプライサ７で糸継ぎ接合して切換えしながら編成する。編成はフレーム１３上に設けられる針床１４上をキャリッジ１５が図１の左右方向に往復移動することによって行われる。【００２４】
針床１４の針に編糸４を給糸する給糸口８は図示しないレールに摺動可能に支持され、例えばキャリッジ１５によって連行され、針床１４に沿って移動する。同様に糸把持手段である第１糸把持部６と第２糸把持部１０も図示しないレールに摺動可能に支持され、個別に針床１４に沿って移動する。実施例１，２における第１糸把持部９及び第２糸把持部１０は、例えば特開２００５−８９９３３号公報で開示されている第１グリッパ及び第２グリッパと同様の機構を有するものである。図示しない糸切断手段であるカッタも、同様に図示しないレールに摺動可能に支持され、針床１４に沿って移動する。実施例１におけるカッタは、前記特開２００５−８９９３３号公報で開示されているように第１グリッパと第２グリッパの動作に依存して切断動作する。実施例２におけるカッタは、第１糸把持部９と第２糸把持部１０の動作に依存することなく切断動作する。【００２５】
針床１４の外方のフレーム１３上には糸保持手段である糸保持部１１と切断除去した切れ端を廃棄する廃棄装置１２を備える。前記糸保持部１１は、例えば特開２００５−４８３３７号公報で開示されている編糸保持切断装置のフックと同様の機構を有するものである。前記廃棄装置１２は例えばエアー吸引する吸引装置であり、吸引した切れ端を図示しない集塵容器へ集める。【００２６】
＜実施例１＞
図２は実施例１に係る編糸接合部分６の処理のステップを示す。Ｓ１〜Ｓ１１はステップ数を示し、ＦとＢはそれぞれ前針床と後針床を示している。また説明の便宜のため、筒状編地２は前針床Ｆの針で前側編地を天竺で編成し、後針床Ｂの針で後側編地を天竺で編成し、針床１４の端部の状態を示す。また編糸４と編糸５については給糸口８の編糸供給源側で図示を省略している。また第１糸把持部９と第２糸把持部１０と糸保持部１１と廃棄装置１２は、各ステップにおいて特に作用させない場合は図示していない。【００２７】
ステップ１は、給糸口８から編糸４を針床１４の前後の針に給糸して筒状編地２を編成する。【００２８】
ステップ２は、編糸４により筒状編地２の前側編地の編端まで編成した後、後針床Ｂの針でタックして解れ止めを行う。【００２９】
ステップ３は、給糸口８を針床１４の外方まで移動する。この時、給糸口８は続くステップ４において糸保持部１１が編糸４を保持できるように移動する。また編糸４は給糸口８が移動する前にスプライサ７により複数の性質の異なる編糸から選択された編糸５と糸継ぎ接合される。【００３０】
ステップ４は、第１糸把持部９及び第２糸把持部１０により、ステップ３で針床１４の針と給糸口８の間に亘る糸継ぎされた編糸４を、針床１４の針と前記接合部分６の間で把持し、更に前記編糸２をフレーム１３上に配設された糸保持部１１により前記第２糸把持部１０と前記接合部分６の間で保持する。図では第１糸把持部９及び第２糸把持部１０は編幅の外で編糸４を把持しているが、編幅の中で把持してもよい。【００３１】
ステップ５は、第１糸把持部９と第２糸把持部１０の間で編糸４を図示しないカッタで切断する。編糸４の切断後、端糸４ａと端糸４ｂはそれぞれ第１糸把持部９と第２糸把持部１０で把持される。【００３２】
ステップ６は、端糸４ａと端糸４ｂの把持を解除する。端糸４ａを把持する位置が編幅の外の場合、編成終了後に端糸が編地の表に現れないように第１糸把持部９を編幅の中へ移動した後端糸４ａの把持を解除する。端糸４ａを把持する位置が編幅の中の場合は、図３のステップ６で示すように第１糸把持部９を移動させることなく端糸４ａの把持を解除すればよい。第２糸把持部１０は針床１４の外方へ移動して端糸４ｂの把持を解除する。【００３３】
ステップ７は、給糸口８を針床１４上に向けて移動して接合部分６を含む編糸４及び編糸３を引き出す。引き出しにより前記接合部分６は給糸口８と糸保持部１１の間に位置する。なおステップ７以降は編糸４で編成した筒状編地２の図示は省略する。【００３４】
ステップ８は、引き出された編糸５を接合部分６と給糸口８の間で第１糸把持部９と第２糸把持部１０により把持する。【００３５】
ステップ９は、第１糸把持部９と第２糸把持部１０の間で編糸５を図示しない前記カッタで切断する。編糸５の切断後、端糸５ａと端糸５ｂはそれぞれ第１糸把持部９と第２糸把持部１０で把持される。【００３６】
ステップ１０は、第２糸把持部１０を針床１４の外方へ移動して端糸５ｂの把持を解除する。この時、端糸５ｂと接合部分６と端糸４ｂを含む切れ端は糸保持部１１で保持されている。【００３７】
ステップ１１は、糸保持部１１で前記切れ端の保持を解除し、廃棄装置１２で前記切れ端を廃棄し、編成に使用する編糸５の端糸５ａを把持した第１糸把持部９を編幅の中の編成開始位置へ移動した後、前針床Ｆの針にタックして解れ止めを行ってから編成を続ける。【００３８】
実施例１ではフレーム１３上に配設された糸保持部１１を使用したが、第１糸把持部９及び第２糸把持部１０と同様の第３糸把持部を用いても良い。【００３９】
また実施例１で切断除去する切れ端の糸長を短くするためには、ステップ３において編糸４と編糸３の接合部分６は糸保持部１１の近くに位置することが好ましい。【００４０】
また実施例１で切断除去する切れ端の糸長を短くするためには、ステップ８において第１糸把持部９及び第２糸把持部１０による編糸５の把持は接合部分６の近くで行われることが好ましい。【００４１】
＜実施例２＞
次に実施例２による編糸接合部分の処理方法について説明する。なお実施例２では実施例１で使用した前記糸保持部１１は使用しない例を示す。図３は本件実施例に係る編糸接合部分６の処理のステップを示す。【００４２】
ステップ１とステップ２は、実施例１と同様にして行う。【００４３】
ステップ３は、給糸口８を針床１４の外方方向へ移動して編糸４を把持できる長さまで引き出す。また編糸４は給糸口８が移動する前にスプライサ７により複数の性質の異なる編糸から選択された編糸５と糸継ぎ接合される。【００４４】
ステップ４は、第１糸把持部９及び第２糸把持部１０により、ステップ３で針床１４の針と給糸口８の間に亘る糸継ぎされた編糸２を、針床１４の針と前記接合部分６の間で把持する。図では第１糸把持部９及び第２糸把持部１０は編幅の中で編糸４を把持しているが、編幅の外で把持してもよい。【００４５】
ステップ５は、第１糸把持部９と第２糸把持部１０の間で編糸４を図示しないカッタで切断する。【００４６】
ステップ６は、端糸４ａの把持を解除する。端糸４ａを把持する位置が編幅の中の場合は、第１糸把持部９を移動させることなく端糸４ａの把持を解除すればよい。端糸４ａを把持する位置が編幅の外の場合、図２のステップ６で示すように編成終了後に端糸が編地の表に現れないように第１糸把持部９を編幅の中へ移動した後端糸４ａの把持を解除する。【００４７】
ステップ７は、給糸口８を針床１４上に向けて移動して、接合部分６を含む編糸４及び編糸５を引き出す。【００４８】
ステップ８は、引き出された編糸５を接合部分６と給糸口８の間で第１糸把持部９により把持する。【００４９】
ステップ９は、第１糸把持部９と第２糸把持部１０の間で編糸５を図示しない前記カッタで切断する。編糸５の切断後、端糸５ａ第１糸把持部９で把持される。この時、端糸５ｂと接合部分６と端糸４ｂを含む切れ端は第２糸把持部１０で把持されている。【００５０】
ステップ１０は、第２糸把持部１０を針床１４の外方へ移動する。【００５１】
ステップ１１は、第２糸把持部１０での前記切れ端の把持を解除し、廃棄装置１２で前記切れ端を廃棄し、編成に使用する編糸５の端糸５ａを把持した第１糸把持部９を編幅の中の編成開始位置へ移動した後、前針床Ｆの針にタックして解れ止めを行ってから編成を続ける。【００５２】
実施例２で切断除去する切れ端の糸長を短くするためには、ステップ３において引き出す編糸４の編糸５との接合部分６までの糸長を、第１糸把持部９と第２糸把持部１０の両方で糸把持可能な最小限の長さにすることが好ましい。【００５３】
また実施例２で切断除去する切れ端の糸長を短くするためには、ステップ８において第１糸把持部９による編糸５の把持は接合部分６の近くで行われることが好ましい。【００５４】
また切断後に編地に残る端糸４ａの糸長を短くするためには、実施例１及び実施例２の各ステップ４において第１糸把持部９で編糸４を解れ止めした位置の近くで把持することが好ましい。【００５５】
実施例１，２では編糸の切換えは筒状編地２の編端で行うことを説明したが、筒状編地２編幅の途中で行ってもよく、この場合ステップ２では前針床Ｆの編成に続けて後針床Ｂで任意の目数を編成した後タックして解れ止めを行い、以降は実施例１と同様の工程を行えばよい。【００５６】
実施例１，２では編糸４での編み終わりと編糸５での編み始めにおける解れ止めは、タック以外にも特許第３０９９３０４号公報で開示されている結び目を編成により形成して解れ止めする編成方法などを用いてもよい。【００５７】
実施例１では第１糸把持部９と第２糸把持部１０の動作に依存して切断動作するカッタを用いて説明したが、実施例２で示したように第１糸把持部９と第２糸把持部１０の動作に依存しないカッタを用いても良い。【００５８】
実施例１，２では前記切れ端の廃棄において、糸保持部１１による保持を解除してから第２糸把持部１０による把持を解除するようにしてもよいし同時に解除してもよい。【００５９】
また廃棄装置１２はエアーを吹き出して切れ端を集塵容器へ送り出すようにしてもよい。
【図１】
2007058090.tif 000003
【図２】
2007058090.tif 000004
【図３】
2007058090.tif 000005
【国際調査報告】
2007058090.tif 000006
2007058090.tif 000007
2007058090.tif 000008
2007058090.tif 000009